【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
複数の通信端末と、当該複数の通信端末と接続して通信可能なサーバとを有する通信システムにおいて、
上記サーバは、
上記複数の通信端末のそれぞれと接続して通信する第１の通信部と、
上記通信端末が、次回以降に上記サーバに接続するタイミングを示す複数の接続パターンを記憶する記憶部と、
上記記憶部に記憶した上記複数の接続パターンの中から接続パターンを選択するパターン選択部と、
上記第１の通信部により上記複数の通信端末の中のいずれかの通信端末と接続したときに、上記パターン選択部により選択された上記接続パターンを、上記第１の通信部により接続している上記通信端末に送信するように当該第１の通信部を制御する第１の制御部と
を具え、
上記通信端末は、
上記サーバと接続して通信する第２の通信部と、
上記第２の通信部により受信された上記接続パターンに示されるタイミングで、上記サーバと接続するように当該第２の通信部を制御する第２の制御部と
を具えることを特徴とする通信システム。
【請求項２】
上記サーバの上記第１の制御部は、
上記接続パターンに示されるタイミングで上記第１の通信部を介して上記通信端末と接続したとき、上記接続パターンに示されるタイミングに基づく量の通信データを送信するように上記第１の通信部を制御し、
上記通信端末の上記第２の通信部は、
上記サーバから送信される上記通信データを受信する
ことを特徴とする請求項１に記載の通信システム。
【請求項３】
上記通信端末は、
上記第２の通信部を介して上記サーバから送信される上記通信データを一時記憶する一時記憶部
を具え、
上記サーバの上記第１の制御部は、
上記通信端末の上記一時記憶部に一時記憶可能な上記通信データのデータ量に基づいて、上記記憶部に記憶する上記複数の接続パターンの中で上記複数の通信端末のそれぞれに対し次回以降に最も遅いタイミングで上記サーバに接続することを示す上記接続パターンを設定する
ことを特徴とする請求項２に記載の通信システム。
【請求項４】
上記サーバの上記第１の制御部は、
上記通信データに緊急情報が含まれている場合には、当該通信データの当該緊急情報が含まれている部分にタグを付加し、
上記通信端末の上記第２の制御部は、
上記サーバから送信される上記通信データに上記タグが付加されている場合には、当該通信データの当該タグが付加されている部分を優先的に扱う
ことを特徴とする請求項２に記載の通信システム。
【請求項５】
上記サーバの上記記憶部は、
上記複数の通信端末のそれぞれに対し、緊急時に上記サーバに接続するタイミングを示す、上記接続パターンよりも短い接続時間でなる複数の緊急時パターンを記憶し、
上記パターン選択部は、
上記緊急時において、上記第１の通信部により上記複数の通信端末の中のいずれかの通信端末と接続したときに、上記記憶部に記憶した上記複数の緊急時パターンの中から緊急時パターンを選択し、
上記第１の制御部は、
上記パターン選択部により選択された上記緊急時パターンを、上記第１の通信部により接続している上記通信端末に送信するように当該第１の通信部を制御する
ことを特徴とする請求項４に記載の通信システム。
【請求項６】
上記サーバの上記パターン選択部は、
上記第１の通信部により上記複数の通信端末の中のいずれかの上記通信端末と接続したときに、上記記憶部に記憶した上記複数の接続パターンの中から上記接続パターンをランダムに選択する
ことを特徴とする請求項１に記載の通信システム。
【請求項７】
上記サーバの上記パターン選択部は、
上記第１の通信部により上記複数の通信端末の中のいずれかの上記通信端末と接続したときに、上記記憶部に記憶した上記複数の接続パターンの中から、現時点で接続している当該通信端末が保持している上記接続パターン以外の接続パターンを選択する
ことを特徴とする請求項１に記載の通信システム。
【請求項８】
複数の通信端末と接続して通信可能なサーバにおいて、
上記複数の通信端末のそれぞれと接続して通信する通信部と、
上記通信端末が、次回以降に上記サーバに接続するタイミングを示す複数の接続パターンを記憶する記憶部と、
上記記憶部に記憶した上記複数の接続パターンの中から接続パターンを選択するパターン選択部と、
上記通信部により上記複数の通信端末の中のいずれかの通信端末と接続したときに、上記パターン選択部により選択された上記接続パターンを、上記通信部により接続している上記通信端末に送信するように当該通信部を制御する制御部と
を具えることを特徴とするサーバ。
【請求項９】
上記制御部は、
上記通信端末が保持する上記接続パターンに示されるタイミングで、当該通信端末が上記通信部を介して上記サーバに接続したとき、当該接続パターンに示されるタイミングに基づく量の通信データを送信するように上記通信部を制御する
ことを特徴とする請求項８に記載のサーバ。
【請求項１０】
上記制御部は、
上記通信端末に設けられた一時記憶部に一時記憶可能な上記通信データのデータ量に基づいて、上記記憶部に記憶する上記複数の接続パターンの中で上記複数の通信端末のそれぞれに対し次回以降に最も遅いタイミングで上記サーバに接続することを示す上記接続パターンを設定する
ことを特徴とする請求項９に記載のサーバ。
【請求項１１】
上記制御部は、
上記通信データに緊急情報が含まれている場合には、当該通信データの当該緊急情報が含まれている部分にタグを付加する
ことを特徴とする請求項９に記載のサーバ。
【請求項１２】
上記記憶部は、
上記複数の通信端末のそれぞれに対し、緊急時に上記サーバに接続するタイミングを示す、上記接続パターンよりも短い接続時間でなる複数の緊急時パターンを記憶し、
上記パターン選択部は、
上記緊急時において、上記通信部により上記複数の通信端末の中のいずれかの通信端末と接続したときに、上記記憶部に記憶した上記複数の緊急時パターンの中から緊急時パターンを選択し、
上記制御部は、
上記パターン選択部により選択された上記緊急時パターンを、上記通信部により接続している上記通信端末に送信するように当該通信部を制御する
ことを特徴とする請求項１１に記載のサーバ。
【請求項１３】
上記パターン選択部は、
上記通信部により上記複数の通信端末の中のいずれかの上記通信端末と接続したときに、上記記憶部に記憶した上記複数の接続パターンの中から上記接続パターンをランダムに選択する
ことを特徴とする請求項８に記載のサーバ。
【請求項１４】
上記パターン選択部は、
上記通信部により上記複数の通信端末の中のいずれかの上記通信端末と接続したときに、上記記憶部に記憶した上記複数の接続パターンの中から、現時点で接続している当該通信端末が保持している上記接続パターン以外の接続パターンを選択する
ことを特徴とする請求項８に記載のサーバ。
【請求項１５】
サーバと接続して通信可能な複数の通信端末において、
上記サーバと接続して通信する通信部と、
上記通信部により受信された接続パターンに示される、次回以降に上記サーバに接続するタイミングで、上記サーバと接続するように当該通信部を制御する制御部と
を具えることを特徴とする通信端末。
【請求項１６】
上記通信部は、
上記サーバから送信される、上記接続パターンに示されるタイミングに基づく量の通信データを受信する
ことを特徴とする請求項１５に記載の通信端末。
【請求項１７】
上記制御部は、
上記サーバから送信される上記通信データにタグが付加されている場合には、当該通信データの当該タグが付加されている部分を優先的に扱う
ことを特徴とする請求項１５に記載の通信端末。
【請求項１８】
複数の通信端末と、当該複数の通信端末と接続して通信可能なサーバとの通信方法において、
上記複数の通信端末のそれぞれに対して次回以降に上記サーバに接続するタイミングを示す複数の接続パターンを、当該サーバに設けられた記憶部に記憶する記憶ステップと、
上記サーバが上記複数の通信端末の中のいずれかの通信端末と接続したときに、上記記憶部に記憶した上記複数の接続パターンの中から接続パターンを選択するパターン選択ステップと、
選択した上記接続パターンを、接続している上記通信端末に送信する送信ステップと、
上記サーバから送信された上記接続パターンに示されるタイミングで、上記サーバと接続する接続ステップと
を具えることを特徴とする通信方法。